(57)【要約】【課題】本体筐体の背面にコネクタを設置することができるとともに、蓋体表面の美観を向上させることのできる電子機器を提供すること。【解決手段】本発明の電子機器は、本体筐体１０の上面１１の後端部に突設された本体側ヒンジ部３１と、蓋体２０の基端部に設けられた蓋体側ヒンジ部３２と、本体側ヒンジ部３１と蓋体側ヒンジ部３２とを連結する回転軸３３とを備える。本体側ヒンジ部３１は、本体筐体１０の上面１１に取付けられる取付部３４と、回転軸３３を挿通させる軸孔部３５とから構成されるとともに、軸孔部３５を取付部３４の取付位置よりも後方かつ斜め上方に位置させた片持ち形状に形成されており、蓋体２０は、本体側ヒンジ部３１の上部を覆うカバー部２５を備えている。【選択図】        図６−１
2010020722.tif 000002
【特許請求の範囲】
【請求項１】
本体筐体と、
前記本体筐体の上面を覆う閉塞位置と、前記上面を開放した開放位置との間で前記本体筐体に対して後端部がヒンジ部によって回転可能に支持される蓋体とを備えた電子機器において、
前記ヒンジ部は、
前記本体筐体の上面後端部に突設された本体側ヒンジ部と、
前記蓋体の基端部に設けられた蓋体側ヒンジ部と、
前記本体側ヒンジ部と前記蓋体側ヒンジ部とを連結する回転軸とを備え、
前記本体側ヒンジ部は、
前記本体筐体の上面に取付けられる取付部と、前記回転軸を挿通させる軸孔部とから構成されるとともに、前記軸孔部を前記取付部の取付位置よりも後方かつ斜め上方に位置させた片持ち形状に形成され、
前記蓋体は、
前記閉塞位置にあるときに前記本体側ヒンジ部の上部を覆うカバー部を備えることを特徴とする電子機器。
【請求項２】
前記軸孔部が、前記本体筐体上面の上部に位置することを特徴とする請求項１に記載の電子機器。
【発明の詳細な説明】
【技術分野】
【０００１】
本発明は、本体筐体に対して蓋体がヒンジ部を介して開閉自在に連結された電子機器に関するものである。
【背景技術】
【０００２】
この種の電子機器としては、例えば特許文献１に示すようなノートブック型パーソナルコンピュータ（以下、省略して「ノートＰＣ」とよぶ）が知られている。このノートＰＣは、本体筐体及び蓋体を備えて構成されている。本体筐体はコンピュータの構成部品が収容される箱体であり、その上面にキーボードが設けられている。蓋体は表示装置を収容した箱体であり、本体筐体の上面を覆う閉塞位置と本体筐体の上面を開放した開放位置との間で本体筐体に対してヒンジ部を介して回転できるようになっている（例えば、特許文献１を参照）。
【０００３】
図９は、従来のノートＰＣのヒンジ構造の一例を示す斜視図である。このノートＰＣ１００のヒンジ部１３０は、本体筐体１１０の上面後端部に突設された本体側ヒンジ部１３１と、蓋体１２０の基端部に設けられた蓋体側ヒンジ部１３２と、本体側ヒンジ部１３１と蓋体側ヒンジ部１３２とを連結する回転軸（図示せず）とから構成されている。図９に示すように、蓋体１２０の天板１２３において、本体側ヒンジ部１３１の上部の領域には、蓋体１２０を９０°以上開いたときに蓋体１２０の基端部が本体側ヒンジ部１３１に当たらないように、切欠き部１４０が設けられている。
【０００４】
また、図１０は、従来のノートＰＣのヒンジ構造の他の例を示す斜視図である。図１０に示すノートＰＣ１００´のヒンジ部１３０´は、本体筐体１１０´の背面部に設けられた本体側ヒンジ部１３１´と、この本体側ヒンジ部１３１´に隣接して設けられ、蓋体１２０´の基端部下面に取り付けられた蓋体側ヒンジ部１３２´と、本体側ヒンジ部１３１´と蓋体側ヒンジ部１３２´とを連結する回転軸（図示せず）とから構成されている。このノートＰＣ１００´では、ヒンジ部１３０´の回転軸は本体筐体１１０´の背面に位置しており、蓋体１２０´を９０°程度開いた状態でも蓋体１２０の基端部が本体側ヒンジ部１３１´に当たることはない。このため、蓋体１２０´の天板１２３´は、切欠き部のない１枚板の形状を有している。
【０００５】
【特許文献１】特開平１１−８５３１９号公報
【発明の開示】
【発明が解決しようとする課題】
【０００６】
ところで、図９に示すノートＰＣ１００では、本体側ヒンジ部１３１が本体筐体１１０の上面に設けられた構成となっているため、本体筐体１１０の背面１１５に、ＵＳＢポート等の各種コネクタを設置することができる。しかしながら、このノートＰＣ１００では、蓋体１２０が閉じられた状態にあるときに図９に示すように蓋体１２０の表面に本体側ヒンジ部１３１が露出するため、蓋体１２０の外観上の美観が損なわれるという問題がある。
【０００７】
一方、図１０に示すノートＰＣ１００´では、本体側ヒンジ部１３１´の上部が天板１２３´によって覆われているため、ノートＰＣ１００´を上から見たときに本体側ヒンジ部材１３１´は蓋体１２０´によって隠された状態となる。しかしながら、このノートＰＣ１００´では、本体側ヒンジ部１３１´が本体筐体１１０´の背面に設けられているため、本体筐体１１０´の背面部に各種コネクタを設置することができないという問題がある。
【０００８】
本発明は、上記実情に鑑みてなされたもので、本体筐体の背面にコネクタを設置することができるとともに、蓋体表面の美観を向上させることのできる電子機器を提供することを目的とする。
【課題を解決するための手段】
【０００９】
上記目的を達成するため、本発明の電子機器は、本体筐体と、前記本体筐体の上面を覆う閉塞位置と、前記上面を開放した開放位置との間で前記本体筐体に対して後端部がヒンジ部によって回転可能に支持される蓋体とを備えたものであり、前記ヒンジ部は、前記本体筐体の上面後端部に突設された本体側ヒンジ部と、前記蓋体の基端部に設けられた蓋体側ヒンジ部と、前記本体側ヒンジ部と前記蓋体側ヒンジ部とを連結する回転軸とを備え、前記本体側ヒンジ部は、前記本体筐体の上面に取付けられる取付部と、前記回転軸を挿通させる軸孔部とから構成され、前記軸孔部を前記取付部の取付位置よりも後方かつ斜め上方に位置させた片持ち形状に形成され、前記蓋体は、前記閉塞位置にあるときに前記本体側ヒンジ部の上部を覆うカバー部を備えることを特徴とする。
【００１０】
また、本発明の好ましい態様によれば、前記軸孔部が、前記本体筐体上面の上部に位置することが望ましい。
【発明の効果】
【００１１】
本発明の電子機器は、本体筐体の上面に本体側ヒンジ部が設けられ、蓋体が本体側ヒンジ部の上部を覆うカバー部を備えている。上記のように構成することで、蓋体が閉じられた状態にある電子機器を上から見たときに、本体側ヒンジ部が蓋体によって隠されるため、蓋体表面に本体側ヒンジ部が露出した従来の電子機器と比べて、蓋体表面の美観を向上させることができる。さらに、本発明の電子機器は、上記の本体側ヒンジ部を取付部と軸孔部とで構成するとともに、軸孔部を取付部の取付位置よりも後方斜め上方に位置させた片持ち形状に形成している。このため、蓋体を開けたときに軸孔部の下方の空間に上記のカバー部を進入させることで、蓋体を１８０°に近い角度まで大きく開くことができるとともに、蓋体を大きく開いた状態となっても本体筐体の背面が蓋体で覆われることはない。その結果、本体筐体の背面に各種コネクタを設置・接続することが可能となる。
【発明を実施するための最良の形態】
【００１２】
以下に添付図面を参照して、本発明の電子機器をノートブック型パーソナルコンピュータに適用した場合の好適な実施の形態について詳細に説明する。
【００１３】
図１及び図２は、ノートブック型パーソナルコンピュータ１（以下、単に「ノートＰＣ１」と称する）の外観を示す斜視図である。図１は、蓋体２０が本体筐体１０に対して開いている状態を示し、図２は、蓋体２０が本体筐体１０に重ね合わされて閉じられた状態を示している。また、図３−１は図２に示すノートＰＣ１の上面図、図３−２は図２に示すノートＰＣ１の背面図、図３−３は図２に示すノートＰＣ１の側面図である。
【００１４】
ここで例示するノートＰＣ１は、電源コード（図示せず）を通じて供給される商用電源の他、ノートＰＣ１内部に装着されたバッテリパック（図示せず）から供給される電源によっても駆動することができる携帯型コンピュータである。このノートＰＣ１は、本体筐体１０と、蓋体２０と、これら本体筐体１０と蓋体２０とを連結するヒンジ部３０で構成されている。なお、以下では、本体筐体１０の手前側（操作者側）を「前」、奥側（ヒンジ部設置側）を「後」として説明する。また、蓋体２０において本体筐体１０の前端部に重なる部分を蓋体２０の「先端部」、本体筐体１０の後端部に重なる部分を「基端部」として説明する。
【００１５】
本体筐体１０は、図には明示していないが、その内部に制御手段であるＣＰＵや記憶手段であるメモリ、電源装置であるバッテリパック等のノートＰＣ１の構成部品を収容した平面視長方形状を成す箱体であり、図１に示すように、その上面１１にキーボード１２を備えている。キーボード１２は、図示は省略するが、金属板によって構成したベース部材の上面にメンブレンスイッチシート及び複数のキートップ１３を配設して構成した入力装置である。図１に示すように、本体筐体１０の上面１１において手前側に位置する部位にはパームレスト領域１４が確保され、このパームレスト領域１４よりも後側となる部位にキーボード１２が配設され、後端部には後述する本体側ヒンジ部３１が２箇所突設されている。
【００１６】
図２及び図３−２に示すように、本体筐体１０の背面１５には、ＶＧＡコネクタ等の各種コネクタや、図には明示されていないが、本体筐体１０の内部に収容されるバッテリパックよりも大型容量のバッテリパックを接続するためのバッテリコネクタが設けてある。また、図２及び図３−３に示すように、本体筐体１０の右側面１６及び左側面（図示せず）には、シリアルポート・パラレルポート・ＵＳＢポート、ネットワーク等の各種コネクタが設けてある。
【００１７】
蓋体２０は、平面視長方形の箱型形状を成す蓋体筐体２１と、この蓋体筐体２１に収容される液晶ディスプレイや有機ＥＬディスプレイ等の表示装置２２から構成されるものである。この蓋体２０は、図１に示すように、本体筐体１０の後端部にヒンジ部３０によってその基端部が回転可能に支持されている。この蓋体２０は、図１に示すように本体筐体１０に対して開いた場合に本体筐体１０の手前側に向けて表示装置２２の表示画面を露出させるとともに、本体筐体１０の上面１１を開放した状態となる。一方、図２に示すように、ヒンジ部３０を介して回転させれば、本体筐体１０の上面１１及び表示装置２２を同時に覆うカバーとして機能する。なお、以下の説明では、蓋体２０が本体筐体１０の上面１１を開放した状態における蓋体２０の位置を「開放位置」とよび、蓋体２０が本体筐体１０の上面１１を覆った状態における蓋体２０の位置を「閉塞位置」とよぶ。
【００１８】
図４は、ノートＰＣ１において、本体筐体１０、蓋体筐体２１、本体側ヒンジ部３１を分解して示した斜視図であり、図５は、図４において、本体筐体１０に本体側ヒンジ部３１が取付けられ、蓋体筐体２１が組み立てられた状態を示す図である。なお、図４及び図５では、説明の都合上、蓋体筐体２１に収容される表示装置２２と、本体筐体１０の上面１１に設けられたキーボード１２等の構成部材を省略している。
【００１９】
蓋体筐体２１は、図４に示すように、天板２３と、この天板２３の周縁部に取付けられる枠部材２４とから構成されるものである。
【００２０】
天板２３は平面視長方形状を成す平板であり、蓋体２０が閉塞位置にあるときに蓋体２０の上面となる部分である。この天板２３は、本体筐体１０の上面１１の全域を覆う大きさを有したもので、プラスチックやＣＦＲＰ(炭素繊維強化プラスチック)等の素材で構成してある。以下では、天板２３において、蓋体２０が閉塞位置にあるときに本体側ヒンジ部３１の上部を覆う領域を「カバー部２５」とよぶことにする（図３−１を参照）。
【００２１】
枠部材２４は、図４に示すように、表示装置２２の厚みに応じた高さ寸法を有する側枠部２６と、この側枠部２６から直角に屈曲して延在し、本体筐体１０の上面１１に対面する底枠部２７とからなる枠体である。
【００２２】
図６−１〜図６−３は、ヒンジ部３０の構造を説明するための図であり、図６−１は図３におけるＡ−Ａ線の概略断面図、図６−２は図６−１に示す状態からヒンジ部３０によって蓋体２０を９０°回転させた状態を示す図、図６−３は図６−２に示す状態から蓋体２０をさらに回転させた状態を示す図である。
【００２３】
ヒンジ部３０は、図４〜図６−１に示すように、本体筐体１０の上面１１の後端部に所定の間隔をあけて突設された一対の本体側ヒンジ部３１と、蓋体２０の基端部に設けられた一対の蓋体側ヒンジ部３２と、これら本体側ヒンジ部３１と蓋体側ヒンジ部３２とを連結する回転軸３３（図６−１を参照）とから構成され、本体筐体１０に対して蓋体２０を回転可能に連結するものである。
【００２４】
本体側ヒンジ部３１は、図６−１に示すように、取付部３４と軸孔部３５とから構成されるものである。取付部３４は、本体筐体１０の上面１１に取付け・固定される部分である。図４に示すように、この取付部３４から延在する態様で、逃がし部３６及び取付片３７が設けられており、取付片３７が本体筐体１０の内部に取り付けられることによって、取付部３４及び逃がし部３６が本体筐体１０の上面１１に取付け・固定されている。軸孔部３５は、図４及び図６−１に示すように、取付部３４から延在して設けられた略円筒形状を成す部分であり、その内部には回転軸３３を挿通させるための軸孔３８が形成されている。この本体側ヒンジ部３１は、プラスチック等の素材によって一体に成形してある。
【００２５】
図６−１に示すように、本体側ヒンジ部３１は、軸孔部３５が取付部３４の取付位置よりも後方斜め上方に位置する片持ち形状を成している。軸孔部３５は、本体筐体１０の上面１１における最後部の上部に位置している。本体側ヒンジ部３１をこのような片持ち形状とすることで、本体筐体１０の上面１１（図６−１では逃がし部３６）と、この上面１１の上部に位置する軸孔部３５とで囲まれた凹所が形成されている。この凹所は、図６−３に示すように、本体筐体１０に対して蓋体２０を所定角度以上回転させたときに、蓋体２０の天板２３におけるカバー部２５を進入させるための空間部Ｓである。
【００２６】
この空間部Ｓの大きさは、天板２３の厚みや、蓋体２０の最大回転角度によって決まるものである。具体的には、本体筐体１０の上面１１と軸孔部３５との間の長さは、天板２３の厚み寸法よりも大きくする必要がある。また、図６−３に示す例では、蓋体２０の最大回転角度は約１６０°程度であるが、図６−３に示す例よりも凹所の奥行き寸法を長くすれば、蓋体２０の最大回転角度を１８０°程度まで大きくすることが可能である。ここで、「奥行き寸法」とは、ノートＰＣ１の前後方向の寸法である。
【００２７】
逃がし部３６は、蓋体２０を回転させて天板２３のカバー部２５を空間部Ｓに進入させる際に、カバー部２５が上面１１にぶつからないようにするためのもので、回転軸３３を中心とする円弧状を成すように形成してある。なお、本実施の形態では、逃がし部３６を本体側ヒンジ部３１と一体化させた構成としているが、これに限定されるものではなく、逃がし部３６を本体筐体１０の上面１１と一体化させてもよいのはもちろんである。
【００２８】
蓋体側ヒンジ部３２は、図４及び図５に示すように、蓋体２０の基端部において、枠部材２４の側枠部２６と底枠部２７とを切欠いて形成した部分であり、上述した本体側ヒンジ部３１に対応する部位に２箇所形成してある。この蓋体側ヒンジ部３２には、回転軸３３を挿通させるための軸孔３９が形成してある。
【００２９】
回転軸３３は、本体側ヒンジ部３１の軸孔３８と、蓋体側ヒンジ部３２の軸孔３９の両方に挿通されることによって、本体側ヒンジ部３１と蓋体側ヒンジ部３２とを連結するものである。この回転軸３３は、本体側ヒンジ部３１の軸孔３８及び蓋体側ヒンジ部３２の軸孔３９のいずれか一方に対しては固定され、他方に対しては回転するように構成してある。本実施の形態では、回転軸３３は、蓋体側ヒンジ部３２の軸孔３９に対して固定され、本体側ヒンジ部３１の軸孔３８に対して回転するようになっている。また、回転軸３３は、本体筐体１０に対して蓋体２０を回転させた場合に、回転軸３３と軸孔３８との間に働く摩擦力によって蓋体２０を任意の角度で止めることができるように構成されている。
【００３０】
次に、上記のように構成したヒンジ部３０の作用について説明する。上述したように、本体側ヒンジ部３１の上部は、蓋体２０における天板２３のカバー部２５に覆われている。図６−１に示すように蓋体２０が閉じられた状態にあるときにノートＰＣ１を上から見ると、図３に示すように、本体側ヒンジ部３１は天板２３のカバー部２５に隠れた状態となるため、本体側ヒンジ部３１は見えない。
【００３１】
図７に示すように本体筐体１０に対して蓋体２０を開いていき、図６−２及び図８に示すように、本体筐体１０の上面１１に対する角度がおよそ９０°になるまで蓋体２０を回転させる。この状態のノートＰＣ１を背面側から見ると、図８に示すように、本体側ヒンジ部３１は天板２３のカバー部２５に隠れた状態となるため、本体側ヒンジ部３１は見えない。
【００３２】
図６−２及び図８に示す状態からさらに蓋体２０を回転させていくと、図６−３に示すように、天板２３のカバー部２５が、逃がし部３６（本体筐体の上面１１）に沿って空間部Ｓに進入することで、蓋体２０を１８０°に近い角度まで大きく開くことができる。また、蓋体２０が１８０°に近い角度まで大きく開いた状態となっても、蓋体２０が本体筐体１０の背面１５を覆うことはない。従って、本体筐体１０の背面１５に各種コネクタや大型サイズのバッテリパックを接続することが可能である。
【００３３】
以上説明したように、本実施の形態のノートＰＣ１は、本体筐体１０の上面１１に本体側ヒンジ部３１が設けられ、蓋体２０が本体側ヒンジ部３１の上部を覆うカバー部２５を備えている。上記のように構成することで、蓋体２０が閉じられた状態にあるノートＰＣ１を上から見たときに本体側ヒンジ部３１が蓋体２０によって隠されるため、図９に示すように蓋体１２０表面に本体側ヒンジ部１３１が露出した従来のノートＰＣ１００と比べて、蓋体２０表面の美観を向上させることができる。
【００３４】
さらに、本実施の形態のノートＰＣ１は、本体側ヒンジ部３１を取付部３４と軸孔部３５とで構成し、この軸孔部３５を取付部３４の取付位置よりも後方斜め上方に位置させた片持ち形状としている。このため、蓋体２０を開けたときに空間部Ｓにカバー部２５を進入させることで、蓋体２０を１８０°に近い角度まで大きく開くことができるとともに、蓋体２０を大きく開いた状態となっても本体筐体１０の背面１５が蓋体２０で覆われることはない。その結果、本体筐体１０の背面１５に各種コネクタを設置・接続することが可能となる。
【００３５】
また、図９に示す従来のノートＰＣ１００のように、蓋体１２０の天板１２３に本体側ヒンジ部１３１を露出させた構成の場合、利用者がノートＰＣ１００を持ったときに本体側ヒンジ部１３１が手に当たるために手触りが悪いという問題があった。本実施の形態のノートＰＣ１によれば、本体側ヒンジ部３１が蓋体２０によって隠され、蓋体２０の表面に露出しないので、ノートＰＣ１を持ったときの手触りを向上させることができる。
【００３６】
また、図９に示す従来のノートＰＣ１００のように、蓋体１２０の天板１２３に切欠き１４０を設けた構成の場合、切欠き１４０周辺の強度が他の部分と比べて弱くなるため、蓋体１２０に力が加えられたときに切欠き１４０の周辺にひび割れ等が発生する可能性があった。本実施の形態のノートＰＣ１によれば、蓋体２０の天板２３を切欠きのない一枚板の形状とすることができるため、蓋体２０の強度を向上させることができる。さらに、天板２３を切欠きのない一枚板の形状とすることで、天板２３の外装表面処理の自由度が高くなり、色や質感などのデザイン性を向上させることができる。
【００３７】
なお、上記実施の形態では、軸孔部３５が本体筐体１０の上面１１の上部に位置するように本体側ヒンジ部３１を設置したが、これに限定されるものではない。例えば、本体側ヒンジ部３１の取付部３４を本体筐体１０の上面１１の最後部に取り付け、軸孔部３５を本体筐体１０の最後部から突出させた構成としてもよい。
【００３８】
また、上記実施の形態では、本発明の電子機器をノートブック型パーソナルコンピュータに適用した例について説明したが、本発明はこれに限定されるものではなく、ヒンジ部を備えたその他の電子機器に適用することも可能である。
【図面の簡単な説明】
【００３９】
【図１】本実施の形態であるノートブック型パーソナルコンピュータの蓋体が開いている状態を示す概略斜視図である。
【図２】本実施の形態であるノートブック型パーソナルコンピュータの蓋体が閉じている状態を示す概略斜視図である。
【図３−１】図２に示すノートブック型パーソナルコンピュータの上面図である。
【図３−２】図２に示すノートブック型パーソナルコンピュータの背面図である。
【図３−３】図２に示すノートブック型パーソナルコンピュータの側面図である。
【図４】本実施の形態であるノートブック型パーソナルコンピュータの分解斜視図である。
【図５】図４において、本体筐体に本体側ヒンジ部が取付けられ、蓋体筐体が組み立てられた状態を示す図である。
【図６−１】図３のＡ−Ａ線の概略断面図である。
【図６−２】図６−１に示す状態から蓋体を９０°回転させた状態を示す図である。
【図６−３】図６−２に示す状態から蓋体をさらに回転させた状態を示す図である。
【図７】本実施の形態であるノートブック型パーソナルコンピュータの蓋体が開いている状態を背面から見た斜視図である。
【図８】本実施の形態であるノートブック型パーソナルコンピュータの蓋体が開いている状態を示す背面図である。
【図９】従来のノートブック型パーソナルコンピュータの概略斜視図である。
【図１０】従来のノートブック型パーソナルコンピュータの概略斜視図である。
【符号の説明】
【００４０】
１      ノートブック型パーソナルコンピュータ
１０      本体筐体
１１      上面
１２      キーボード
１３      キートップ
１４      パームレスト領域
１５      背面
１６      側面
２０      蓋体
２１      蓋体筐体
２２      表示装置
２３      天板
２４      枠部材
２５      カバー部
２６      側枠部
２７      底枠部
３０      ヒンジ部
３１      本体側ヒンジ部
３２      蓋体側ヒンジ部
３３      回転軸
３４      取付部
３５      軸孔部
３６      逃がし部
３７      取付片
３８      軸孔
３９      軸孔
Ｓ        空間部（凹所）
【図１】
2010020722.tif 000003
【図２】
2010020722.tif 000004
【図３−１】
2010020722.tif 000005
【図３−２】
2010020722.tif 000006
【図３−３】
2010020722.tif 000007
【図４】
2010020722.tif 000008
【図５】
2010020722.tif 000009
【図６−１】
2010020722.tif 000010
【図６−２】
2010020722.tif 000011
【図６−３】
2010020722.tif 000012
【図７】
2010020722.tif 000013
【図８】
2010020722.tif 000014
【図９】
2010020722.tif 000015
【図１０】
2010020722.tif 000016